(57)【要約】【課題】動的なオブジェクト集合を検索条件に依存することなく構成し、検索条件を変更しなくても検索条件を満たさないオブジェクト集合をオブジェクトへ容易に追加することができ、オブジェクト集合内で継続的に管理することが可能なオブジェクト管理プログラム、装置および方法を提供する。【解決手段】オブジェクト管理装置はオブジェクトまたは検索設定に対して参照情報を保持させ、オブジェクトと検索設定の間の参照情報を関連付け、検索設定とその検索設定の利用者を特定するための利用者情報を参照することで、関連付けの実施を利用者毎に制限する。オブジェクト管理装置は検索設定と関連付けられているオブジェクトを収集する関連付オブジェクト収集、および検索設定と関連付けられていないオブジェクトから当該検索設定の条件を満たすオブジェクトを収集する非関連付オブジェクト収集を行う。【選択図】図１
2007148534.tif 000002
【特許請求の範囲】
【請求項１】
検索条件を指定する検索設定を参照する参照情報をオブジェクトに付加し、該検索設定と該オブジェクトとを関連付ける処理と、
複数のオブジェクトから成るオブジェクト群から前記検索設定に指定された前記検索条件を満たす非関連付オブジェクトを収集するとともに、該オブジェクト群から該検索設定を参照する参照情報が付加された関連付オブジェクトを収集する処理と、
前記非関連付オブジェクトと前記関連付オブジェクトとを合成して動的オブジェクト集合を作成する処理と
をコンピュータに動作させることを特徴とするオブジェクト管理プログラム。
【請求項２】
前記検索設定に指定された前記検索条件を満たす非関連付オブジェクトが収集された際に、該検索設定を参照する参照情報を該非関連付オブジェクトに付加する処理
をコンピュータに動作させることを特徴とする請求項１記載のオブジェクト管理プログラム。
【請求項３】
前記オブジェクトに付加された前記参照情報の変更、破棄を行う処理
をコンピュータに動作させることを特徴とする請求項１記載のオブジェクト管理プログラム。
【請求項４】
前記検索設定と該検索設定の利用者を特定する利用者情報を管理し、
前記検索設定および前記利用者情報に基づき、前記オブジェクトに対する前記参照情報の付加、または前記オブジェクトに付加された前記参照情報の変更、破棄を前記利用者毎に制限する処理と
をコンピュータに動作させることを特徴とする請求項３記載のオブジェクト管理プログラム。
【請求項５】
前記動的オブジェクト集合を表示する処理と、
前記動的オブジェクト集合を表示する際に、前記非関連付オブジェクトの集合と前記関連付オブジェクトの集合とを異なる表示形態で表示する処理と
をコンピュータに動作させることを特徴とする請求項１記載のオブジェクト管理プログラム。
【請求項６】
検索条件を指定する検索設定を参照する参照情報をオブジェクトに付加し、該検索設定と該オブジェクトとを関連付ける関連付手段と、
複数のオブジェクトから成るオブジェクト群から前記検索設定に指定された前記検索条件を満たす非関連付オブジェクトを収集するとともに、該オブジェクト群から該検索設定を参照する参照情報が付加された関連付オブジェクトを収集し、該非関連付オブジェクトと該関連付オブジェクトとを合成して動的オブジェクト集合を作成するオブジェクト収集手段と
を具備することを特徴とするオブジェクト管理装置。
【請求項７】
関連付手段が検索条件を指定する検索設定を参照する参照情報をオブジェクトに付加し、該検索設定と該オブジェクトとを関連付け、
オブジェクト収集手段が複数のオブジェクトから成るオブジェクト群から前記検索設定に指定された前記検索条件を満たす非関連付オブジェクトを収集するとともに、該オブジェクト群から該検索設定を参照する参照情報が付加された関連付オブジェクトを収集し、該非関連付オブジェクトと該関連付オブジェクトとを合成して動的オブジェクト集合を作成する
ことを特徴とするオブジェクト管理方法。
【発明の詳細な説明】
【技術分野】
【０００１】
本発明は、オブジェクト管理プログラム、装置および方法に関し、特に、混在するドキュメント、動画、音声情報等のオブジェクトを管理するオブジェクト管理プログラム、装置および方法オブジェクト管理プログラム、装置および方法に関する。
【背景技術】
【０００２】
混在する文書、動画、音声情報等のオブジェクト群から一定の意味のある複数のオブジェクトを抽出し、その複数のオブジェクトをグループ化する作業は通常のオブジェクト処理において頻繁に発生する作業である。
【０００３】
この作業を行う一般的な方法としては、静的なフォルダ（または、ディレクトリ）を作成し、その中にグループ化するオブジェクトを格納する静的な分類構造を作成する方法がある。
【０００４】
また、別の方法として、検索を使用して分類を実施する動的な検索を利用する方法がある。この方法では、複数の分類が存在するケースや新たなオブジェクトを分類対象にする場合等には柔軟に対応できるという利点がある。
【０００５】
例えば、図９に示す文書群が存在しているとする。
【０００６】
この場合、「プロジェクトＸ」を関連プロジェクトとする文書と、「プロジェクトＹ」を関連プロジェクトとする文書とを、別々にグループ化して管理する必要がある。
【０００７】
ここで、静的な分類構造を作成する方法で図９に示す文書群をプロジェクト毎にグループ化する。まず、「プロジェクトＸ」のためのフォルダを作成し、その中に「プロジェクトＸ」を関連プロジェクトとする文書（文書Ａ、文書Ｂ、文書Ｃ）を格納し、「プロジェクトＹ」のためのフォルダを作成し、その中に「プロジェクトＹ」を関連プロジェクトとする文書（文書Ｄ、文書Ｅ、文書Ｆ）を格納する。図１０は、静的な分類構造を作成する方法を利用した文書集合の管理体系のイメージを示す図である。
【０００８】
しかし、静的な分類構造を作成する方法でグループ化を行うと、管理構造が静的なため、管理体系の変化に柔軟に対応できないという問題があり、例えば、新たなプロジェクトが管理対象となる度に、同じような静的なフォルダを分類構造に追加し、そこに該当する文書を配置しなければならない、「『未承認』の文書を『種別』毎に管理する」といった管理体系の変更要求があった場合には、分類構造を種別毎の静的なフォルダで改めて作成し、そこに未承認の文書を配置し直さなければならない等の問題がある。
【０００９】
上記問題に対して、動的な検索を利用する方法で動的に文書集合を構成する管理方法が有用である。
【００１０】
次に、動的な検索を利用する方法で図９に示す文書群をプロジェクト毎にグループ化する管理方法について説明する。まず、以下のような検索条件を持つ検索設定を利用することで、静的な分類構造を作成した時と同様に、文書をプロジェクト毎にグループ化することが可能となる。
【００１１】
○プロジェクトＸ検索
条件：プロジェクト＝プロジェクトＸ
○プロジェクトＹ検索
条件：プロジェクト＝プロジェクトＹ
図１１は、検索設定を利用した結果として得られる文書集合のイメージを示す図である。
【００１２】
ここで、新たな「プロジェクトＺ」の追加が必要となった場合、先の検索設定に次の条件を追加することで、管理構造の追加および文書の配置は動的に行われる。
【００１３】
○プロジェクトＺ検索
条件：プロジェクト＝プロジェクトＺ
図１２は、検索設定への条件の追加による管理構造の動的な変化のイメージを示す図である。
【００１４】
また、管理体系の変更要求があった場合には、利用する検索設定を切り替えることで、柔軟に対応することが可能である。例えば、「『未承認』の文書を『種別』毎に管理する」といった管理体系への変更要求があった場合、次のような検索条件を持つ検索設定を利用することで、この要求に応えることが可能である。
【００１５】
○機能仕様書検索
条件１：種別＝機能仕様書、条件２：状態＝未承認
○補足説明書検索
条件１：種別＝補足説明書、条件２：状態＝未承認
○更新履歴書検索
条件１：種別＝更新履歴書、条件２：状態＝未承認
図１３は、異なる検索設定を利用した場合の管理体系のイメージを示す図である。
【００１６】
このように、検索設定を利用した管理体系は、管理構造、文書集合の変更または追加等が動的に行われる点で、静的な分類構造を作成する方法に比べて柔軟な管理体系を提供することができると言える。
【００１７】
例えば、動的な検索を利用した場合のユーザに対する別の見せ方として、検索設定をフォルダとして表示し、「開く」操作が適用された場合には検索を実行する技術がある（例えば、特許文献１および特許文献２参照。）。
【特許文献１】特開平６−３１４２２４号公報
【特許文献２】特開平９−４４３９３号公報
【発明の開示】
【発明が解決しようとする課題】
【００１８】
しかし、動的な検索を利用する場合の管理体系は上述したように、検索設定内の検索条件を利用して動的に文書集合を構成するため、文書集合中の文書は検索条件を満たさなくなると文書集合から外れてしまう。例えば、図１３では、文書の種別、状態のどちらか一方が変化すると、文書集合から外れてしまうことになる。
【００１９】
このように、検索設定を利用して動的な文書集合を構成する場合、この文書集合を構成する文書は検索条件の影響を強く受けてしまうため、文書集合には、検索条件によらず文書を継続的に留めておくことや、検索条件に満たない文書を追加することができない。
【００２０】
具体的には、文書集合中の文書は、検索設定を利用して文書集合を管理している利用者の意図に反して検索条件を満たさないことがある。例えば、ある利用者が図１３の検索設定を利用して「文書Ａ」を管理しているとき、他の利用者が「文書Ａ」の状態を「承認」に変更してしまう等といった場合が考えられる。このとき、検索設定を利用して「文書Ａ」を管理していた利用者は検索設定を利用して「文書Ａ」を管理することができなくなってしまう。
【００２１】
また、文書集合に検索条件を満たさない文書を追加して管理するためには、より複雑な検索条件を持つ検索設定を別途用意して、異なる文書集合を構成して管理する必要がある。例えば、図１３の「機能仕様書」検索による文書集合において、「文書Ａ」に関係する「補足説明書」を「文書Ｄ」に関係する「更新履歴書」を文書集合に追加する場合、新たに
“{『プロジェクトＸ』and（『機能仕様書』or『補足説明書』）and『未承認』}or{『プロジェクトＹ』and（『機能仕様書』or『更新履歴書』）and『未承認』}”
というような複雑な検索条件を保持する検索設定により文書集合を構成し直す必要がある。この結果、検索条件の作成ミス等によって、必要な文書を文書集合に追加することが困難となることがある。
【００２２】
このような問題に対して、動的に構成した文書集合内の文書を継続的に管理する目的で、文書集合内意の文書が検索条件を満たさなくなるような操作を制限する方法がある。例えば、図１３の「文書Ａ」については「状態を「承認」に変更する」といった操作を制限することで、意図しない文書への変更を防ぐことができる。ただし、この方法は、文書集合を成果物として固定的に扱う場合には有用であるが、意図的に「文書Ａ」の状態を「承認」に変更する必要がある場合には利用できない。
【００２３】
更に、検索設定が検索結果の文書集合に含まれている文書を記憶する仕組み（検索履歴管理機能）を保持することによって実現することができる。例えば、図１３においては「文書Ａ」および「文書Ｄ」を特定するＩＤを検索設定が保持する。これにより、「文書Ａ」および「文書Ｄ」が検索条件を満たさなくなった場合でも、検索設定は保持しているＩＤを利用して両者を文書集合に含めることができる。ただし、この方法は、文書への変更があっても文書集合として継続的に管理できる点で有用だが、やはり検索条件の影響は強く受けるため、検索条件を満たさない文書を文書集合に含める場合等には複雑化した検索条件を利用する必要が生じ、当該文書の文書集合への追加が困難となることがある。
【００２４】
そこで、本発明は、動的なオブジェクト集合を検索条件に依存することなく構成し、検索条件を変更しなくても検索条件を満たさないオブジェクト集合をオブジェクトへ容易に追加することができ、オブジェクト集合内で継続的に管理することが可能なオブジェクト管理プログラム、装置および方法を提供することを目的とする。
【課題を解決するための手段】
【００２５】
上記目的を達成するため、請求項１の発明は、検索条件を指定する検索設定を参照する参照情報をオブジェクトに付加し、該検索設定と該オブジェクトとを関連付ける処理と、複数のオブジェクトから成るオブジェクト群から前記検索設定に指定された前記検索条件を満たす非関連付オブジェクトを収集するとともに、該オブジェクト群から該検索設定を参照する参照情報が付加された関連付オブジェクトを収集する処理と、前記非関連付オブジェクトと前記関連付オブジェクトとを合成して動的オブジェクト集合を作成する処理とをコンピュータに動作させることを特徴とする。
【００２６】
また、請求項２の発明は、請求項１の発明において、前記検索設定に指定された前記検索条件を満たす非関連付オブジェクトが収集された際に、該検索設定を参照する参照情報を該非関連付オブジェクトに付加する処理をコンピュータに動作させることを特徴とする。
【００２７】
また、請求項３の発明は、請求項１の発明において、前記オブジェクトに付加された前記参照情報の変更、破棄を行う処理をコンピュータに動作させることを特徴とする。
【００２８】
また、請求項４の発明は、請求項３の発明において、前記検索設定と該検索設定の利用者を特定する利用者情報を管理し、前記検索設定および前記利用者情報に基づき、前記オブジェクトに対する前記参照情報の付加、または前記オブジェクトに付加された前記参照情報の変更、破棄を前記利用者毎に制限する処理とをコンピュータに動作させることを特徴とする。
【００２９】
また、請求項５の発明は、請求項１の発明において、前記動的オブジェクト集合を表示する処理と、前記動的オブジェクト集合を表示する際に、前記非関連付オブジェクトの集合と前記関連付オブジェクトの集合とを異なる表示形態で表示する処理とをコンピュータに動作させることを特徴とする。
【００３０】
また、請求項６の発明は、検索条件を指定する検索設定を参照する参照情報をオブジェクトに付加し、該検索設定と該オブジェクトとを関連付ける関連付手段と、複数のオブジェクトから成るオブジェクト群から前記検索設定に指定された前記検索条件を満たす非関連付オブジェクトを収集するとともに、該オブジェクト群から該検索設定を参照する参照情報が付加された関連付オブジェクトを収集し、該非関連付オブジェクトと該関連付オブジェクトとを合成して動的オブジェクト集合を作成するオブジェクト収集手段とを具備することを特徴とする。
【００３１】
また、請求項７の発明は、関連付手段が検索条件を指定する検索設定を参照する参照情報をオブジェクトに付加し、該検索設定と該オブジェクトとを関連付け、オブジェクト収集手段が複数のオブジェクトから成るオブジェクト群から前記検索設定に指定された前記検索条件を満たす非関連付オブジェクトを収集するとともに、該オブジェクト群から該検索設定を参照する参照情報が付加された関連付オブジェクトを収集し、該非関連付オブジェクトと該関連付オブジェクトとを合成して動的オブジェクト集合を作成することを特徴とする。
【発明の効果】
【００３２】
本発明によれば、動的オブジェクト集合が検索条件に依存しないため、検索条件を変更せずに目的のオブジェクトを動的オブジェクト集合に容易に追加することが可能になるとともに、継続的に管理することが可能になるという効果を奏する。
【００３３】
更に、本発明によれば、動的オブジェクト集合が当該動的オブジェクト集合を作成した検索条件だけに依存しないため、１つのオブジェクト集合内で動的なオブジェクトと静的なオブジェクトとの両方を同時に管理することが可能になるという効果を奏する。
【００３４】
更に、本発明によれば、検索設定とオブジェクトとの間を関連付ける参照情報を利用者毎に制御することにより、他の利用者による不正なオブジェクトへの参照情報の変更、破棄等の影響を受けることなく、動的オブジェクト集合を継続的に管理することが可能になるという効果を奏する。
【００３５】
更に、本発明によれば、動的ドキュメント集合単位での表示形態を制御することにより、各々のドキュメントが属する集合が明示されるため、重複した関連付けを防止する等利用者の管理体系における操作性を向上することが可能になるという効果を奏する。
【発明を実施するための最良の形態】
【００３６】
以下、本発明に係るオブジェクト管理プログラム、装置および方法の実施の形態について添付図面を参照して詳細に説明する。
【００３７】
図１は、本発明に係るオブジェクト管理装置の基本概念図である。
【００３８】
図１に示すように、ドキュメント、動画、音声情報等のオブジェクトを管理し、検索機能等によって動的なオブジェクト集合（以後、動的オブジェクト集合と称する）を作成および表示でき、且つ動的オブジェクト集合を作成した条件（以下、検索設定と称する）を保持するオブジェクト管理装置は以下に示す特徴を有している。
【００３９】
オブジェクト管理装置は、関連付手段１、利用者管理手段２、オブジェクト収集手段３を具備して構成される。
【００４０】
関連付手段１は、オブジェクト管理装置が管理する任意のオブジェクトまたは検索設定に対して、そのオブジェクトまたは検索設定を参照する参照情報を保持させ、オブジェクトと検索設定の間の参照情報を関連付ける。なお、参照情報の関連付けの処理としては、利用者からの関連付け要求に従って関連付けを実施、変更、破棄し、また、任意の検索設定で作成した動的オブジェクト集合を構成する各オブジェクトに対して自動的に関連付けを実施する。
【００４１】
利用者管理手段２は、検索設定とその検索設定の利用者を特定するための利用者情報を管理する。なお、関連付手段１は利用者管理手段２を参照することで、関連付けの実施を利用者毎に制限することができる。
【００４２】
オブジェクト収集手段３は、動的オブジェクト集合を作成する。なお、オブジェクト収集手段３は、検索設定と関連付けられているオブジェクトを収集する関連付オブジェクト収集、および検索設定と関連付けられていないオブジェクトから当該検索設定の条件を満たすオブジェクトを収集する非関連付オブジェクト収集を行う。以後、関連付オブジェクト収集によるオブジェクトの集合を関連付オブジェクト集合と称し、非関連付オブジェクト収集によるオブジェクトの集合を非関連付オブジェクト集合と称する。
【００４３】
なお、オブジェクト管理装置は、オブジェクト収集手段３が作成した動的オブジェクト集合の表示を行う表示手段（図示せず）も具備し、表示手段は関連付オブジェクト集合と非関連付オブジェクト集合とを異なる表示形態で表示することもできる。
【００４４】
本実施例では、オブジェクト内に検索設定を参照する参照情報を保持させて、オブジェクトと検索設定との関連付けを管理するように構成するが、検索設定内にオブジェクトを参照する参照情報を保持させて、オブジェクトと検索設定との関連付けを管理するように構成することも可能である。
【００４５】
また、検索設定を参照する参照情報として、例えば、検索設定を特定する情報（例えば、検索設定ＩＤ等）を利用する。
【００４６】
図２は、関連付手段が行うオブジェクトと検索設定との関連付けの処理を説明する図である。
【００４７】
図２（ａ）は、検索設定の利用者から関連付け要求があった際の関連付けの処理を説明する図である。図２（ａ）に示すように、検索設定Ｃの利用者が関連付手段に対して任意のオブジェクトに検索設定Ｃを参照する参照情報（検索設定Ｃ参照情報）を関連付ける要求すると、関連付手段は検索設定Ｃから検索設定Ｃ参照情報を取得し、取得した検索設定Ｃ参照情報を当該任意のオブジェクトに付加する。ちなみに、検索設定Ｃ参照情報を保持させられたオブジェクトは他の検索設定の参照情報（検索設定Ａ参照情報、検索設定Ｂ参照情報）が付加されている。
【００４８】
図２（ｂ）は、検索結果である動的オブジェクト集合の各オブジェクトに対する関連付けの処理を説明する図である。図２（ｂ）に示すように、オブジェクト収集手段が検索設定Ｃの条件を満たす動的オブジェクト集合を作成すると、関連付手段は検索設定Ｃから検索設定Ｃ参照情報を取得し、取得した検索設定Ｃ参照情報を動的オブジェクト集合の各オブジェクトに付加する。
【００４９】
なお、関連付手段はオブジェクトに対する参照情報の付加を行うだけでなく、参照情報の変更、破棄等も行うことが可能である。
【００５０】
しかし、他の利用者が参照情報に対して不正な変更、破棄等を行ってしまう可能性もある。そこで、本発明では、このような問題を防止する目的で、利用者管理手段が検索設定とその検索設定の利用者を特定するための利用者情報を管理し、関連付手段は利用者管理手段を参照することで、関連付けの実施（または、参照情報の変更、破棄等）を利用者毎に制限している。
【００５１】
ここで、関連付手段が利用者管理手段を参照して関連付けの実施を利用者毎に制限する処理の流れについて図３に示すフローチャートを参照して説明する。
【００５２】
利用者から関連付け要求を受け付けると（ステップＳ３０１）、利用者が指定する検索設定を利用可能か利用者管理手段で確認する（ステップＳ３０２）。
【００５３】
利用可能である場合（ステップＳ３０３でＹＥＳ）、検索設定から参照情報を取得し（ステップＳ３０４）、参照情報をオブジェクトに付加し（ステップＳ３０５）、処理を終了する。
【００５４】
利用不可能である場合（ステップＳ３０３でＮＯ）、検索設定が利用不可能な旨を利用者に通知し（ステップＳ３０６）、処理を終了する。
【００５５】
次に、オブジェクト収集手段が行う動的オブジェクト集合の作成について説明する。
【００５６】
図４は、オブジェクト収集手段が行う動的オブジェクト集合の作成を説明する図である。
【００５７】
図４に示すように、オブジェクト収集手段は検索設定に従って動的オブジェクト集合を作成する場合、関連付オブジェクト収集によって検索設定Ａ参照情報が付加されているオブジェクトが収集されることで関連付オブジェクト集合が作成される。この際、検索設定Ａ参照情報が付加されていればオブジェクトの種類に関係無く収集されることになる。更に、非関連付オブジェクト収集によって検索設定の検索条件を満たすオブジェクトが収集されることで非関連付オブジェクト集合が作成される。そして、関連付オブジェクト集合と非関連付オブジェクト集合とを合成して動的オブジェクト集合が作成される。
【００５８】
ここで、オブジェクト収集手段が動的オブジェクト集合を作成する処理の流れについて図５に示すフローチャートを参照して説明する。
【００５９】
動的オブジェクト集合の作成要求を受け付けると（ステップＳ５０１）、検索設定の参照情報に基づいて当該参照情報が付加されているオブジェクトを収集し（ステップＳ５０２）、収集したオブジェクトに基づいて関連付オブジェクト集合を作成し（ステップＳ５０３）、検索設定の検索条件に基づいて当該検索条件を満たすオブジェクトを収集し（ステップＳ５０４）、収集したオブジェクトに基づいて非関連付オブジェクト集合を作成し（ステップＳ５０５）、関連付オブジェクト集合と非関連付オブジェクト集合とを合成して動的オブジェクト集合を作成し（ステップＳ５０６）、処理を終了する。
【００６０】
そして、図４に示す動的オブジェクト集合に含まれるオブジェクトが継続的に管理され、図６に示すように、非関連付オブジェクト集合に含まれるオブジェクト４１に検索設定Ａ参照情報を付加し（図６中のマル１）、次に、オブジェクト４２の種類を変更すると（図６中のマル２）、オブジェクト４３は検索設定Ａの検索条件を満たさなくなる。この時、オブジェクト４３には検索設定Ａ参照情報が付加されているため、検索設定Ａに従って動的オブジェクト集合を作成する際に、関連付オブジェクト収集により関連付オブジェクト集合に含まれるオブジェクトとして収集されることになり、オブジェクト４３は検索設定Ａに従う動的オブジェクト集合に含まれるオブジェクトとして継続的に管理される。
【００６１】
なお、図６では、非関連付オブジェクト集合に含まれるオブジェクト４１に検索設定Ａ参照情報を付加する実施例を示したが、図７に示すように、検索設定Ａに従う動的文書オブジェクト集合に含まれていないオブジェクト５１に検索設定Ａ参照情報を付加することができる（図７中のマル１）。これにより、検索設定Ａに従って動的オブジェクト集合を作成する際に、オブジェクト５２は関連付オブジェクト収集により関連付オブジェクト集合に含まれるオブジェクトとして収集されることになる（即ち、関連付オブジェクト集合に新たなオブジェクトとして追加される（図７中のマル２））。
【００６２】
従って、検索条件を満たさないオブジェクトであっても、動的オブジェクト集合への追加を容易に行うことができる。
【００６３】
図８は、関連付オブジェクト集合と非関連付オブジェクトとを異なる表示形態で表示した一例を示す図である。
【００６４】
図８に示すように、関連付オブジェクト集合に含まれるオブジェクトをフォルダに格納する形式を採用している。
【００６５】
このような表示形態を採用することで、オブジェクトがどの集合に含まれるかを明示的に提示することが可能になり、重複する参照情報を避ける等といった利用者の操作性向上を図ることができる。
【００６６】
また、他の利用者へ参照情報を隠蔽すること等を目的として、利用者毎に関連付オブジェクト集合の表示・非表示を制御する等といった表示形態を採用する等の方法も考えられる。
【００６７】
なお、本発明は、上述した基本構成をモジュールとして具備するオブジェクト管理プログラムをＰＣ等の情報処理端末にインストールする構成でも適用可能である。
【００６８】
本発明は、上記し、且つ図面に示す実施例に限定することなく、その要旨を変更しない範囲内で適宜変形して実施できるものである。
【図面の簡単な説明】
【００６９】
【図１】本発明に係るオブジェクト管理装置の基本概念図である。
【図２】関連付手段が行うオブジェクトと検索設定との関連付けの処理を説明する図である。
【図３】関連付手段が利用者管理手段を参照して関連付けの実施を利用者毎に制限する処理の流れを示すフローチャートである。
【図４】オブジェクト収集手段が行う動的オブジェクト集合の作成を説明する図である。
【図５】オブジェクト収集手段が動的オブジェクト集合を作成する処理の流れを示すフローチャートである。
【図６】非関連オブジェクト集合に含まれるオブジェクトへの参照情報の付加と関連付オブジェクト集合の継続的な管理のイメージを示す図である。
【図７】検索条件を満たさないオブジェクトの動的オブジェクトへの追加のイメージを示す図である。
【図８】異なる表示形態を採用した動的オブジェクト集合の表示のイメージを示す図である。
【図９】文書群を示す図である。
【図１０】静的な分類構造を作成する方法を利用した文書集合の管理体系のイメージを示す図である。
【図１１】検索設定を利用した結果として得られる文書集合のイメージを示す図である。
【図１２】検索設定への条件の追加による管理構造の動的な変化のイメージを示す図である。
【図１３】異なる検索設定を利用した場合の管理体系のイメージを示す図である。
【符号の説明】
【００７０】
１    関連付手段
２    利用者管理手段
３    オブジェクト収集手段
４１、４２、４３、５１、５２    オブジェクト
【図１】
2007148534.tif 000003
【図２】
2007148534.tif 000004
【図３】
2007148534.tif 000005
【図４】
2007148534.tif 000006
【図５】
2007148534.tif 000007
【図６】
2007148534.tif 000008
【図７】
2007148534.tif 000009
【図８】
2007148534.tif 000010
【図９】
2007148534.tif 000011
【図１０】
2007148534.tif 000012
【図１１】
2007148534.tif 000013
【図１２】
2007148534.tif 000014
【図１３】
2007148534.tif 000015